(57)【要約】  【課題】冷蔵庫の貯蔵室内への熱侵入量を増加させること無く貯蔵室空間を拡大できる冷蔵庫を提供する。  【解決手段】冷蔵庫本体２０の断熱箱体２１は外箱２３と内箱２２との間に断熱材２４を充填して構成したものであり、外箱２３の下面を形成する冷凍室３３の貯蔵空間に相対する下面部材５２の下面の中央部に下側へ凸形状部５２ａを設けることにより、断熱材２４の厚さを薄くすること無く内箱２２の下面の位置を低くできるので、貯蔵室内への熱侵入量を増加させること無く貯蔵室空間を拡大することができる。【選択図】図３
2006194573.tif 000002
【特許請求の範囲】
【請求項１】
断熱壁によって内部に貯蔵室が形成された断熱箱体を備えた冷蔵庫本体と、前記冷蔵庫本体に備えられた少なくとも圧縮機と凝縮器とを有する冷凍サイクルと、前記冷蔵庫本体の底面部に備えられ前記冷蔵庫本体を支えるとともに前記冷蔵庫本体を設置する設置床面に接する複数の脚とを有し、前記断熱箱体の底面部は設置床面と空間を介して直に対向するものであって、前記断熱箱体の底面部の下端部は、前記圧縮機の下端部よりも下方に位置するものである冷蔵庫。
【請求項２】
前記断熱箱体の底面部の下端部は、さらに、前記脚の前記冷蔵庫本体への取付け面よりも下方に位置するものである請求項１に記載の冷蔵庫。
【請求項３】
貯蔵室空間に相対する断熱箱体の底面部領域の下方に凸形状部を設けて、前記凸形状部が断熱箱体の底面部の下端部を形成する請求項１または２に記載の冷蔵庫。
【請求項４】
冷蔵庫本体に備えられた冷凍サイクルを形成する凝縮器は、断熱箱体の底面部と前記冷蔵庫本体を設置する床面との間の空間以外の場所に備えられた請求項１から３のいずれか一項に記載の冷蔵庫。
【請求項５】
断熱箱体を形成する断熱壁は、外箱と内箱との間に断熱材を充填されるものであって、冷蔵庫本体に備えられた冷凍サイクルを形成する凝縮器として前記断熱壁内の前記外箱側の面に備えられた冷媒配管を利用したことを特徴とする請求項１から４のいずれか一項に記載の冷蔵庫。
【請求項６】
冷蔵庫本体に備えられた冷凍サイクルを形成する凝縮器は、前記外箱の前記断熱材側の面に備えられた冷媒配管からなる断熱壁内凝縮器を主とするものであって、前記断熱壁内凝縮器によって凝縮器の全長の８０％以上を形成するものである請求項５に記載の冷蔵庫。
【請求項７】
断熱壁内の外箱側に備えられた冷媒配管と内箱との間に断熱材より熱伝導率の小さい真空断熱材を備えたことを特徴とする請求項５または６に記載の冷蔵庫。
【請求項８】
断熱箱体は上下方向に複数の断熱区画を有し、それぞれの前記断熱区画内は冷蔵温度帯もしくは冷凍温度帯に保持され、少なくとも最上部の区画を冷蔵室とし、かつ前記冷蔵室の上下方向の区画高さが前記断熱箱体の高さの概ね１／２とした請求項１から７のいずれか一項に記載の冷蔵庫。
【請求項９】
冷蔵庫の冷凍サイクルを形成する圧縮機を断熱箱体上部に備えた請求項１から８のいずれか一項に記載の冷蔵庫。
【請求項１０】
外箱の下面を外箱と別部材にて形成された下面部材にて構成し、前記下面部材に下側に凸形状部を設けた請求項１から９のいずれか一項に記載の冷蔵庫。
【請求項１１】
閉時に最下部の区画を閉塞する扉の下面と冷蔵庫の設置床面との距離を５ｍｍ以上２０ｍｍ以下とした請求項１から１０のいずれか一項に記載の冷蔵庫。
【発明の詳細な説明】
【技術分野】
【０００１】
本発明は、冷蔵庫の断熱箱体の構造に関するものである。
【背景技術】
【０００２】
近年、冷蔵庫に対しては使い勝手の良いものや野菜，冷凍食品の買いだめに対応できる貯蔵室の大きいものが好まれている。それに対し大きい野菜室を引き出し式としてその高さを使い易い位置に設定したものがある（例えば、特許文献１参照）。
【０００３】
以下、図面を参照しながら、上記従来の扉開放装置について説明する。
【０００４】
図６は、従来の冷蔵庫の正面図である。図７は、従来の冷蔵庫の断面図である。図に示すように従来の冷蔵庫１の断熱箱体２は前面開口部２ａを有し、上から冷蔵室３、野菜室４、上部冷凍室５、下部冷凍室６と複数の貯蔵室に区画されている。また、各貯蔵室の前面開口部２ａには全閉時に各貯蔵室を閉塞し、断熱箱体２と開閉自在に連結された冷蔵室ドア３ａ、野菜室ドア４ａ、上部冷凍室ドア５ａ、下部冷凍室ドア６ａを備える。また、冷蔵室ドア３ａは冷蔵庫の右端部にてヒンジ８（図示せず）により断熱箱体２と回動自在に連結された回転ドアであり、野菜室ドア４ａ、上部冷凍室ドア５ａ、下部冷凍室ドア６ａは断熱箱体２と前後方向に開閉自在に連結された引出しドアである。
【０００５】
断熱箱体２は鋼板製の外箱９と樹脂製の内箱１０との間に断熱材１１を発泡充填して形成され、断熱箱体２下部背面側には第一の凹部２ｂを設けて冷蔵庫１の冷凍サイクルを構成する圧縮機１２を備え、同じく断熱箱体２の下面部には第二の凹部２ｃを設けて冷凍サイクルを形成する凝縮器１３を備える。この時、外箱９の下面の中央部は上側に凹形状となっている。
【０００６】
また、冷蔵庫１が置かれる床面Ｆから冷蔵庫１の上端部までの高さをＨ１、野菜室ドア４ａ上端部までの高さをＨ２、上部冷凍室ドア５ａ上端部までの高さをＨ３、下部冷凍室ドア６ａ上端部までの高さをＨ４と設定し、例えば本従来の冷蔵庫１ではＨ１を１７３０ｍｍ、Ｈ２を９３２ｍｍ、Ｈ３を６１１ｍｍ、Ｈ４を３７４ｍｍと設定している。
【０００７】
また、冷蔵庫１の幅をＷ１、奥行きをＤ１と設定し、同じく本従来の冷蔵庫ではＷ１を５９０ｍｍ、Ｄ１を６９０ｍｍと設定している。
【０００８】
更に、冷蔵室ドア３ａの高さをｈ１、野菜室ドア４ａの高さをｈ２、上部冷凍室ドア５ａの高さをｈ３、下部冷凍室ドア６ａの高さをｈ４と設定し、同じく本従来の冷蔵庫ではｈ１を７８８ｍｍとして最も大きくし、ｈ２を３１２ｍｍ、ｈ４を２９０ｍｍ、ｈ３を最も小さい２２９ｍｍに設定している。これによって冷蔵庫１の高さに対する冷蔵室ドア３ａの割合はｈ１／Ｈ１×１００＝４５．５％となる。
【０００９】
また、最下部の下部冷凍室ドア６ａ下部には断熱箱体２の前面開口部２ａに設けられた袴１４を備える。
【００１０】
以上のように構成された扉開放装置について、以下その動作を説明する。
【００１１】
野菜室ドア４ａ上端部までの高さＨ２を８５０ｍｍ以上１０００ｍｍ以下の範囲に設定することにより、例えば日本人の標準的な女性（身長１５５ｃｍ）が立ち姿勢において肘を上げずにキャベツや白菜などの重たい野菜を出し入れ可能となるので出し入れ姿勢が楽になる。
【特許文献１】特許第２８４６６０２号公報
【発明の開示】
【発明が解決しようとする課題】
【００１２】
しかしながら、上記従来の構成では、外箱９の下面に第二の凹部２ｃを設けることによって断熱材１１を挟んだ内箱１０下面の床面Ｆからの高さが高くなってしまい、下部冷凍室６の貯蔵室空間が狭くなってしまうという課題を有していた。
【００１３】
この時、断熱材１１の厚さを薄くすれば内箱１０下面の床面Ｆからの高さを低くすることができるが、その場合には断熱箱体２下面部からの熱侵入量が増加し冷蔵庫の消費電力量が増加してしまう。
【００１４】
本発明は上記従来の課題を解決するものであり、冷蔵庫本体の全高を抑えながら特に下部貯蔵室の収納性や使い勝手の向上を図ろうとする冷蔵庫において、冷蔵庫１の貯蔵室への熱侵入量を増加させること無く貯蔵室空間を増加させた使い勝手の良い冷蔵庫を提供することを目的とする。
【課題を解決するための手段】
【００１５】
上記従来の課題を解決するために、本発明の冷蔵庫は、断熱壁によって内部に貯蔵室が形成された断熱箱体を備えた冷蔵庫本体と、前記冷蔵庫本体に備えられた少なくとも圧縮機と凝縮器とを有する冷凍サイクルと、前記冷蔵庫本体の底面部に備えられ前記冷蔵庫本体の重量を支えるとともに前記冷蔵庫本体を設置する設置床面に接する複数の脚とを有し、前記断熱箱体の底面部は設置床面と空間を介して直に対向するものであって、前記断熱箱体の底面部の下端部は、前記圧縮機の下端部よりも下方に位置するものである。
【００１６】
これによって、冷蔵庫本体の全高を抑えながら特に下部貯蔵室の収納性や使い勝手の向上を図ろうとする冷蔵庫において、断熱壁の厚さを薄くすること無く、下部貯蔵室の貯蔵室空間を増加させることがで、下部貯蔵室の収納性を向上させることができる。
【発明の効果】
【００１７】
本発明の冷蔵庫は、断熱箱体下面部からの熱侵入量を増加させること無く下部貯蔵室の収納性を向上させることができるので、使用者の使い勝手を向上させることができる。
【発明を実施するための最良の形態】
【００１８】
請求項１に記載の発明は、断熱壁によって内部に貯蔵室が形成された断熱箱体を備えた冷蔵庫本体と、前記冷蔵庫本体に備えられた少なくとも圧縮機と凝縮器とを有する冷凍サイクルと、前記冷蔵庫本体の底面部に備えられ前記冷蔵庫本体の重量を支えるとともに前記冷蔵庫本体を設置する設置床面に接する複数の脚とを有し、前記断熱箱体の底面部は設置床面と空間を介して直に対向するものであって、前記断熱箱体の底面部の下端部は、前記圧縮機の下端部よりも下方に位置するものである。
【００１９】
これによって、冷蔵庫本体の全高を抑えながら特に下部貯蔵室の収納性や使い勝手の向上を図ろうとする冷蔵庫において、断熱壁の厚さを薄くすること無く、下部貯蔵室の貯蔵室空間を増加させることができ、下部貯蔵室の収納性を向上させ、使用者の使い勝手を大幅に向上させることができる。
【００２０】
請求項２に記載の発明は、請求項１に記載の発明において、前記断熱箱体の底面部の下端部は、さらに、前記脚の前記冷蔵庫本体への取付け面よりも下方に位置するものである。
【００２１】
これによって、冷蔵庫本体の全高を抑えながら特に下部貯蔵室の収納性や使い勝手の向上を図ろうとする冷蔵庫において、断熱壁の厚さを薄くすること無く、さらに顕著に貯蔵室内部分と対応する断熱壁を下げて下部貯蔵室の貯蔵室空間を増加させることができ、下部貯蔵室の収納性を向上させ、使用者の使い勝手を大幅に向上させることができる。
【００２２】
請求項３に記載の発明は、請求項１または２に記載の発明において、貯蔵室空間に相対する断熱箱体の底面部領域の下方に凸形状部を設けて、前記凸形状部が断熱箱体の底面部の下端部を形成するものである。
【００２３】
これによって、冷蔵庫本体の全高を抑えながら、貯蔵室空間と相対する断熱壁の厚さを薄くすること無く貯蔵室下面の設置床面からの高さを低くできるので断熱箱体下面部からの熱侵入量を増加させること無く下部貯蔵室の貯蔵室空間を拡大することができる。
【００２４】
請求項４に記載の発明は、請求項１から３のいずれか一項に記載の発明において、冷蔵庫本体に備えられた冷凍サイクルを形成する凝縮器は、断熱箱体の底面部と前記冷蔵庫本体を設置する床面との間の空間以外の場所に備えられたものである。
【００２５】
これによって、冷蔵庫本体の底面部を放熱空間として利用する際の風路形成等が必要なくなるので、断熱箱体の底面部をより下方へ下げることが可能となり、下部貯蔵室の貯蔵室空間をより拡大することが可能となる。
【００２６】
請求項５に記載の発明は、請求項１から４のいずれか一項に記載の発明において、断熱箱体を形成する断熱壁は、外箱と内箱との間に断熱材を充填されるものであって、冷蔵庫本体に備えられた冷凍サイクルを形成する凝縮器として前記断熱壁内の前記外箱側の面に備えられたものである。
【００２７】
これによって、従来の冷蔵庫において断熱箱体下面部の第二の凹部に備えられていた凝縮器を冷媒配管による放熱作用にて代替することにより、外箱の下面の中央部に下側に凸形状部を設けた場合でも凸形状部を従来の冷蔵庫の凝縮器の備えられていたスペースに設けるので冷蔵庫の高さを高くすること無く内箱下面の設置床面からの高さを低くできる。また、冷媒配管による放熱効果が従来の冷蔵庫の凝縮器と同等とすることにより他の冷凍サイクル構成部品である圧縮機や蒸発器などを変更する必要も無い。
【００２８】
よって、凝縮器を冷媒配管で代替することで、従来の凝縮器の設置の為のスペースを有効な庫内空間である貯蔵室空間として活用することができる為、貯蔵室の庫内をより拡大した使い勝手の良い冷蔵庫が提供できる。
【００２９】
請求項６に記載の発明は、請求項５に記載の発明において、冷蔵庫本体に備えられた冷凍サイクルを形成する凝縮器は、前記外箱の前記断熱材側の面に備えられた冷媒配管からなる断熱壁内凝縮器を主とするものであって、前記断熱壁内凝縮器によって凝縮器の全長の８０％以上を形成するものである。
【００３０】
これによって、凝縮器の８０％以上を断熱壁内に埋設された冷媒配管で代替することで、従来の凝縮器の設置の為のスペースを有効な庫内空間である貯蔵室空間として活用することができる為、貯蔵室の庫内をより拡大した使い勝手の良い冷蔵庫が提供できる。
【００３１】
請求項７に記載の発明は、請求項５または６に記載の発明において、冷蔵庫の外箱に密着された冷媒配管と内箱との間に断熱材より熱伝導率の小さい真空断熱材を備えたものであり、真空断熱材により冷媒配管の放熱による貯蔵室内への熱侵入量を低減できるので冷蔵庫の消費電力量の増加を抑制することができる。
【００３２】
請求項８に記載の発明は、請求項１から７のいずれか一項に記載の発明において、蔵庫の断熱箱体は上下方向に複数の断熱区画を有し、それぞれの前記断熱区画内は冷蔵温度帯もしくは冷凍温度帯に保持され、少なくとも最上部の区画を冷蔵室とし、かつ前記冷蔵室の上下方向の区画高さが前記断熱箱体の高さの概ね１／２としたものであり、冷凍温度帯より保持温度の高い冷蔵室が冷蔵庫の貯蔵室空間の概ね５０％を占めることにより冷凍温度帯の貯蔵室空間が多い場合に比べて冷蔵庫に必要な冷却能力を低減することができるので、冷蔵庫の消費電力量を低減することができる。
【００３３】
また、従来の冷蔵庫では冷蔵室を大きくすると下側の貯蔵室空間が狭くなってしまうが本発明の冷蔵庫では外箱の下面の中央部に下側に凸形状部を設けることで下側の貯蔵室空間を拡大しているので、下側の貯蔵室空間が狭くなることは無い。
【００３４】
請求項９に記載の発明は、請求項１から８のいずれか一項に記載の発明において、冷蔵庫の冷凍サイクルを形成する圧縮機を断熱箱体上部に備えたことにより下側の貯蔵室空間を更に拡大することができる。また、最上部の貯蔵室を冷蔵室とした場合には、従来の冷蔵庫のように断熱箱体下部背面側の下部冷凍室近傍に圧縮機を備える場合に比べて、冷蔵室の方が貯蔵室の温度が高いので圧縮機の発する熱の貯蔵室内への熱侵入量を低減できるので冷蔵庫の消費電力量を低減することができる。
【００３５】
請求項１０に記載の発明は、請求項１から９のいずれか一項に記載の発明において、冷蔵庫の外箱の下面を外箱と別部材にて形成された下面部材にて構成し、前記下面部材に凸形状部を設けたことにより外箱を一体で下面を凸形状部に成型することに比べて成型が容易となるので設備投資の抑制や、成型サイクルの短縮によるコスト削減を図ることができる。
【００３６】
請求項１１に記載の発明は、請求項１から１０のいずれか一項に記載の発明において、冷蔵庫の閉時に最下部の区画を閉塞する扉の下面と冷蔵庫の設置床面との距離を５ｍｍ以上２０ｍｍ以下としたものであり、まず２０ｍｍ以下とすることで扉の開時に扉の下面と床面との間にスリッパや足の指を挟んでしまうことを防止でき、５ｍｍ以上とすることで扉の開時に扉の下面が床に擦ることを防止できるので冷蔵庫の使い勝手を確保することができる。
【００３７】
以下、本発明の実施の形態について、図面を参照しながら説明する。なお、この実施の形態によってこの発明が限定されるものではない。
【００３８】
（実施の形態１）
図１は本発明の本実施の形態１における冷蔵庫の正面図、図２は同実施の形態の冷蔵庫の断面図、図３は同実施の形態の冷蔵庫の要部正面断面図、図４は同実施の形態の冷蔵庫の断熱箱体の分解斜視図である。
【００３９】
図１から図４において、冷蔵庫本体２０の箱体である断熱箱体２１は樹脂にて形成された内箱２２と金属磁性体にて形成された外箱２３との間に断熱材２４を充填した断熱壁から形成されるものであり、前面開口部２１ａを有し、仕切壁２５，２６，２７，２８により、上部より冷蔵室２９、製氷室３０、切替室３１、野菜室３２、冷凍室３３と複数の貯蔵室を形成している。但し、製氷室２９と切替室３１とはそれぞれ左右並列に配置されている。
【００４０】
また、各貯蔵室には全閉時に前面開口部２１ａを閉塞し断熱箱体２１と連結され、それぞれ断熱壁を有する冷蔵室ドア２９ａ、製氷室ドア３０ａ、切替室ドア３１ａ、野菜室ドア３２ａ、冷凍室ドア３３ａを備える。更に冷蔵室ドア２９ａは右側上下端をそれぞれ回転軸を有する上部ヒンジ３４と下部ヒンジ３５とで断熱箱体２１と回動自在に連結されており、その他の貯蔵室ドアは引出し式であり、前後方向に開閉自在に断熱箱体２１と連結されている。
【００４１】
更に各貯蔵室ドアの断熱箱体２１側の面は全閉時に前面開口部２１ａとの間に５ｍｍ程度の空間３６を有し、空間３６は各貯蔵室ドアの断熱箱体２１側の面の上下左右４辺に設けられたマグネットを有するガスケット３７の磁力にて前面開口部２１ａにガスケット３７を吸着させることで密着させることができ、各貯蔵室は略密閉にシールされる。
【００４２】
また断熱箱体２１には冷蔵庫本体２０を運転時に冷却する冷凍サイクル（図示せず）を有し、この冷凍サイクルは圧縮機８０と凝縮器と減圧器（図示せず）と蒸発器（図示せず）とを順に備えて一連の冷媒流路を備えている。
【００４３】
この圧縮機８０はピストンがシリンダ内を往復動することで冷媒の圧縮を行う往復動型圧縮機であり、圧縮機８０および冷凍サイクルの冷媒として炭化水素系冷媒である例えばイソブタンを使用している。
【００４４】
また、凝縮器は外箱２３である側面部材５１の断熱材２４側の両側面に固着された冷媒配管５５からなる断熱壁内凝縮器が凝縮器全長の８０％以上を占めている。
【００４５】
冷凍サイクルが作用することにより、冷蔵室２９と野菜室３２とは約５℃の冷蔵温度帯に、製氷室３０と切替室３１と冷凍室とは約−１８℃の冷凍温度帯に冷却保持されるように設定されている。
【００４６】
また、野菜室３２と冷凍室３３との内部の両側部にはレール部材３９を有する。
【００４７】
レール部材３９は断熱箱体２１側に固着される固定レール４０と、野菜室ドア３２ａ，冷凍室ドア３３ａ側に固着される移動レール４１とからなる。
【００４８】
固定レール４０は断面略コの字型で、野菜室３２と冷凍室３３との両側部において前面開口部２１ａ付近から野菜室３２と冷凍室３３との奥端近傍まで備えられ、かつ開放部がお互いに対向するように配置され、固定レール４０は内箱２２に固着されている。
【００４９】
また、移動レール４１は野菜室ドア３２ａ，冷凍室ドア３３ａの断熱箱体２１側の面において左右それぞれの固定レール４０と対向する位置に左右方向に二つ備えられ、野菜室ドア３２ａ，冷凍室ドア３３ａの前後方向の開閉に伴って移動する。
【００５０】
野菜室ドア３２ａ，冷凍室ドア３３ａは左右の固定レール４０の開放部に左右それぞれの移動レール４１を挿入することで断熱箱体２１と連結される。
【００５１】
また、野菜室３２の左右の移動レール４１間には上面開口部４２ａを有し、野菜室３２内の食品を収容する野菜室容器４２を備える。
【００５２】
同じく冷凍室３３の左右の移動レール４１間には上面開口部４３ａを有し、冷凍室３２内の食品を収容する冷凍室容器４３を備える。
【００５３】
野菜室容器４２と冷凍室容器４３とはそれぞれ左右の移動レール４１に着脱自在に備えられ、野菜室ドア３２ａ，冷凍室ドア３３ａの前後方向の開閉に伴って移動する。
【００５４】
また、外箱２３は断熱箱体２１の前面開口部２１ａと両側面と上面とを形成する側面部材５１と、下面を形成する下面部材５２と、背面下部を形成する背面下部部材５３と、背面上部を形成する背面上部部材５４とから形成される。
【００５５】
側面部材５１両側面の断熱材２４側の面には冷凍サイクルの凝縮器として放熱効果を有する冷媒配管５５と、断熱材２４よりも小さい熱伝導率を有する真空断熱材５６とが固着されている。
【００５６】
冷媒配管５５は本実施の形態では側面部材５１の両側面のほぼ全体を側面部材５１の背面側から前面側に向けて２．５ターンし、側面部材５１の断熱材２４側の面に密着して側面部材５２と真空断熱材５６とに挟まれている。
【００５７】
真空断熱材５６は上下方向は冷媒配管５５の上下の曲げ部間、前後方向は側面部材５１のほぼ全体を覆い、側面部材５１固着時に冷媒配管５５が当たらないように冷媒配管５５のターンの位置に合わせて上下方向に冷媒配管５５の管径よりも深い溝５６ａを本実施の形態では５本有する。
【００５８】
冷蔵庫本体２０を形成する断熱箱体２１の、底面部である下面部材５２の下面の中央部、すなわち本実施の形態では冷凍室３３の貯蔵室空間の下方に相対する底面部領域には下側に凸形状部５２ａを有し、凸形状部５２ａと冷蔵庫本体２０の設置床面６０とは接触しない程度の空間を有して直に対向している。
【００５９】
また、凸形状部５２ａの両側部の前側にはそれぞれ設置床面６０の傾斜具合に合わせて脚を備え、この脚は冷蔵庫本体２０の傾きを調節する為の調節脚７０、背面側にはそれぞれ冷蔵庫本体２０の下面の背面側を支持する支持脚７１を有する。
【００６０】
調節脚７０は下面部材５２の凸形状部５２ａの両側部の下面側に固着され、したがって調節脚７０の固着面より断熱箱体２１の下面が下側に位置することになる。
【００６１】
また、冷蔵庫本体２０の設置時には左右の調節脚７０の下面は設置床面６０に接してそれぞれ断熱箱体２１の下面の前面側を支持する。
【００６２】
また、調節脚７０の前面部は断熱箱体２１の前面開口部２１ａより冷凍室ドア３３ａ側に突出しており、冷凍室ドア３３ａの下面の左右端部は調節脚７０の上面より高い位置にあるが、中央部は下側に凸形状部を有する。
【００６３】
このように、断熱箱体２１の底面部である下面部材５２の下端部である凸形状部５２ａの下端部は、圧縮機８０の下端部８０ａよりも下方に備えられるとともに、脚である調節脚７０および支持脚７１の前記冷蔵庫本体への取付け面よりも下方に位置するものであり、この凸形状部５２ａの下端部は冷蔵庫本体２０の設置床面と空間を介して直に対向している。
【００６４】
なお、本実施の形態における脚としての調節脚７０は、接地面に対する冷蔵庫本体の姿勢を調節するための高さ調節機能を備えた脚（アジャスター）、支持脚７１は冷蔵庫本体の移動用の移動車輪（キャスター）等が例に挙げられるが、当然に、この脚形態に限定されるものではなく、調節機能を有さない脚を適宜組み合わせたり、調節機能を有さない脚のみ、或いは何らかのストッパー機能を付与して移動車輪（キャスター）のみで構成してもよい。
【００６５】
また、背面下部部材５３の背面の左右辺は面取り形状５３ａを有する。
【００６６】
背面上部部材５４は凹部５４ａを有し、凹部５４ａには冷凍サイクルを構成する圧縮機８０を備える。
【００６７】
また、本実施の形態では外箱２３の中で背面上部部材５４のみ樹脂にて形成している。
【００６８】
また、冷蔵庫本体２０が置かれる設置床面６０から冷蔵庫本体２０の断熱箱体２１の上端部までの高さをＨ１１、切替室ドア３１ａ（＝製氷室ドア３０ａ）上端部までの高さをＨ１２、野菜室ドア３２ａ上端部までの高さをＨ１３、冷凍室ドア３３ａ上端部までの高さをＨ１４、冷凍室ドア３３ａ凸形状部下端部までの高さをＨ１５と設定し、例えば本実施の形態の冷蔵庫ではＨ１１を１７３０ｍｍ、Ｈ１２を８６０ｍｍ、Ｈ１３を６７７ｍｍ、Ｈ１４を３４２ｍｍ、Ｈ１５を６．５ｍｍと設定している。
【００６９】
また、冷蔵庫本体２０の幅をＷ２、奥行きをＤ２と設定し、同じく本実施の形態の冷蔵庫本体２０ではＷ２を５９０ｍｍ、Ｄ２を６９０ｍｍと設定している。
【００７０】
更に、冷蔵室ドア２９ａの高さをｈ１１、切替室ドア３１ａ（＝製氷室ドア３０ａ）の高さをｈ１２、野菜室ドア３２ａの高さをｈ１３、冷凍室ドア３３ａの左右端部の高さをｈ１４と設定し、同じく本実施の形態の冷蔵庫ではｈ１１を８５９ｍｍとして最も大きくし、ｈ１３を３３０ｍｍ、ｈ１４を３２０ｍｍとして野菜室３２を冷凍室３３よりも大きくし、ｈ１２を最も小さい１７７．５ｍｍに設定している。これによって冷蔵庫本体２０の高さに対する冷蔵室ドア３０ａの割合はｈ１１／Ｈ１１×１００＝４９．７％と従来の冷蔵庫１の４５．５％よりも大きくなり、概ね１／２となっている。なお、正確に言うと冷蔵室２９の区画高さは冷蔵室ドア２９ａ高さと異なるが、本実施の形態では冷蔵室ドア２９ａ高さにて代替するものとする。
【００７１】
以上のように構成された冷蔵庫について、以下その作用を説明する。
【００７２】
まず、冷凍サイクルが作動すると圧縮機８０の圧縮動作により吐出された高温高圧の冷媒は、凝縮器にて冷蔵庫本体１の周りの空気と熱交換して放熱するとともに凝縮液化し、減圧器であるキャピラリーに至る。その後、キャピラリーで減圧されて蒸発器に至り、蒸発器内の冷媒の蒸発作用により蒸発器の周囲空気が比較的低温となり冷気となる。この冷気が各貯蔵室へと循環し、各貯蔵室が設定温度に冷却保持される。この時冷凍サイクルの凝縮器として側面部材５１の断熱材２４側の両側面に固着された冷媒配管５５からなる断熱壁内凝縮器の放熱効果を主に利用している。冷媒配管５５は側面部材５１の両側面のほぼ全体を覆うことで配管長を長くすることにより放熱量を増加させている。
【００７３】
この時、凝縮器として断熱壁内凝縮器である冷媒配管５５を主な放熱手段として利用する為に従来と比較して配管長が長くなり、配管長が長くなると圧縮機８０から冷媒とともに冷凍サイクル内に吐出された冷凍機油を、いかに冷凍サイクルの配管を経由して圧縮機８０へ戻すかが圧縮機８０２の信頼性にかかわる重要なポイントとなる。
【００７４】
しかしながら、冷媒の流速を確保するために圧縮機１２の気筒容積を大きくしたり、圧縮機１２の回転数を上げたりして、冷凍能力を増大することによって冷媒の流速を確保しようとすると蒸発器９の蒸発温度低下を招き、圧縮機１２の圧縮比が大きくなり消費電力量が増大するので、これらの手段で解決することは困難であった。
【００７５】
そこで、本実施の形態では冷凍サイクルの冷媒として炭化水素系冷媒である例えばイソブタンを使用している。
【００７６】
（表１）にイソブタンと、従来の代替フロン冷媒である例えばＲ１３４ａとの−３０℃の飽和液における物性値を示す。
【００７７】
【表１】
2006194573.tif 000003
【００７８】
（表１）に示すように、イソブタンの単位体積当たりの冷凍能力が５２０．８ｋＪであるのに対して、従来の代替フロン冷媒であるＲ１３４ａの単位体積当たりの冷凍能力は９７１．６ｋＪとなり、イソブタンはＲ１３４ａと比較すると単位体積当たりの冷凍能力が約１／２である。よって、圧縮機８０の冷凍能力を従来のＲ１３４ａと同等とするために、圧縮機８０の気筒容積は約２倍程度にまで大きくなり、圧縮機８０の単位時間当たりのピストン押しのけ量も同様に約２倍程度まで増大する。すなわち、冷媒の単位時間当たりの体積流量が増大するので、圧縮機８０運転時の配管内の流速が２倍程度まで増加する。
【００７９】
また、自然冷媒であるＣＯ２の単位体積当たりの冷凍能力は１１２５８．５ｋＪとなり、イソブタンはＣＯ２と比較すると単位体積当たりの冷凍能力が約１／２０である。よって、圧縮機１２の冷凍能力をＣＯ２と同等とするために、圧縮機１２の気筒容積は約２０倍程度にまで大きくなり、圧縮機１２の単位時間当たりのピストン押しのけ量も同様に約２０倍程度まで増大する。すなわち、冷媒の単位時間当たりの体積流量が増大するので、圧縮機１２運転時の配管内の流速が２０倍程度まで増加する。
【００８０】
これにより、本実施の形態のように、従来と比較して配管長が長くなり、圧縮機８０から冷媒とともに冷凍サイクル内に吐出された冷凍機油が圧縮機８０へと戻りにくいような冷蔵庫においても、冷凍サイクル内に滞留した冷凍機油を速やかに圧縮機８０へ戻すことが可能となり、圧縮機８０内の冷凍機油不足による、圧縮機８０の損傷等の危険性を低減できる。
【００８１】
また、冷媒配管５５が放熱する際の各貯蔵室側への熱侵入は真空断熱材５６により大幅に低減される。
【００８２】
また、外箱２３は側面部材５１と下面部材５２と背面下部部材５３と背面上部部材５４とに分割され、それぞれ凸形状部や面取り形状など複雑な形状を有するが分割により成型工法が簡素化されている。
【００８３】
また、下面部材５２の下面の中央部に設けた凸形状部５２ａにより内箱２２の冷凍室３３内の下面位置が従来の冷蔵庫１より低くなっている為、冷凍室ドア３３ａの下端位置も下がることになる。この時冷凍室ドア３３ａの中央部に凸形状部を設けることで、従来の冷蔵庫１に備えられていた袴１４は廃止されている。
【００８４】
従来の冷蔵庫１においても下部冷凍室ドア６ａの下面の中央部に凸形状部を設けることは可能だが、下部冷凍室ドア６ａの下端位置が高いと凸形状部の高さを大きくする必要があり外観意匠が悪化してしまう。
【００８５】
更に、従来の冷蔵庫１のように断熱箱体２下面部の第二の凹部２ｃに凝縮器１３を備える場合には、袴１４にスリットを設けて外気を吸入して凝縮器１３の放熱を促進する場合があり、その際には下部冷凍室ドア６ａの下面に凸形状部を設けると外気を吸入することができないので、凸形状部を設けることはできない。
【００８６】
また、冷凍室ドア３３ａの開時には冷凍室ドア３３ａが脚のつま先やスリッパの先端に当たっても下面の凸形状部により足の指やスリッパの先端を挟んでしまうことは無い。
【００８７】
以上のように本実施の形態においては下面部材５２の下面の中央部に下側へ凸形状部５２ａを設けることにより、断熱材２４の厚さを薄くすること無く内箱２２下面の設置床面６０からの高さを低くできるので断熱箱体２１下面部からの熱侵入量を増加させること無く貯蔵室空間を拡大することができる。
【００８８】
よって、冷蔵庫本体の全高を抑えながら特に下部貯蔵室の収納性や使い勝手の向上を図ろうとする冷蔵庫において、断熱壁の厚さを薄くすること無く、下部貯蔵室の貯蔵室空間を増加させることができ、下部貯蔵室の収納性を向上させ、使用者の使い勝手を大幅に向上させることができる。
【００８９】
また、断熱箱体２１下面は冷蔵庫本体２０の設置床面６０と直に対向し、冷蔵庫本体２０の冷凍サイクルを形成する凝縮器として側面部材５１の断熱材２４側の面に密着された冷凍サイクルの冷媒配管５５を利用することにより、下面部材５２の下面の中央部に下側へ凸形状部５２ａを設けた場合でも凸形状部５２ａを従来の冷蔵庫１の凝縮器１３の備えられていたスペースに設けるので冷蔵庫本体２０の高さを高くすること無く内箱２２下面の設置床面６０からの高さを低くできる。また、冷媒配管５５による放熱効果が従来の冷蔵庫１の凝縮器１３と同等とすることにより他の冷凍サイクル構成部品である圧縮機８０や蒸発器（図示せず）などを変更する必要も無い。
【００９０】
このように本実施の形態では、冷蔵庫本体２０の底面部を放熱空間として利用する際の風路形成等が必要なくなるので、断熱箱体２１の底面部をより下方へ下げることが可能となり、下部貯蔵室である冷凍室３３の貯蔵室空間をより拡大することが可能となる。
【００９１】
また、凝縮器を冷媒配管５５で代替することで、従来の凝縮器の設置の為のスペースを有効な庫内空間である貯蔵室空間として活用することができる為、貯蔵室の庫内をより拡大した使い勝手の良い冷蔵庫が提供できる。
【００９２】
また、本実施の形態のように、凝縮器の全長の８０％以上を冷媒配管５５で代替することで、従来と比較して配管長が長くなり、圧縮機８０から冷媒とともに冷凍サイクル内に吐出された冷凍機油が圧縮機８０へと戻りにくいような冷蔵庫においても、冷凍サイクル内に滞留した冷凍機油を速やかに圧縮機８０へ戻すことが可能となり、圧縮機８０内の冷凍機油不足による、圧縮機８０の損傷等の危険性を低減できる。
【００９３】
なお、本実施の形態では、凝縮器は外箱２３である側面部材５１の断熱材２４側の両側面に固着された冷媒配管５５からなる断熱壁内凝縮器である冷媒配管５５が凝縮器全長の８０％以上を占めているものとしたが、発明者らの検討では凝縮器全長の９０％以上を断熱壁内凝縮器で形成した場合でも、家庭用の冷蔵庫において実使用上問題のない範囲の放熱能力を有することができることを確認した。この際、断熱箱体２１の前面開口部２１ａや下面部材５２の断熱材２４側の面にも冷媒配管５５を延長して配置することで更に配管長を長くして断熱壁内凝縮器の放熱効果を増加させ、また、断熱箱体２１の断熱材２４より外側には外部冷媒配管５５ａを備えており、凝縮器の一部として利用している。
【００９４】
この時、外部冷媒配管５５ａは冷蔵庫２０の設置時に両側面や背面を壁などにて覆われ、断熱壁内凝縮器の放熱効果が低減した際の冷蔵庫の放熱能力確保に効果を発揮するものであって、発明者らの検討では冷媒配管５５の長さを約２３ｍ、外部冷媒配管５５ａの長さを約２ｍに設定し、断熱壁内凝縮器の比率を９２％とした場合でも、家庭用の冷蔵庫において実使用上問題のないことを確認した。よって、このように凝縮器全長の９０％以上を断熱壁内凝縮器で形成した場合では、従来の凝縮器配置スペースを庫内の収納空間としてより大きい容積で置き換えることができるので、収納容量が大幅に増加し、使用者の使い勝手をより向上させることが可能となる。
【００９５】
また、側面部材５１に密着された冷媒配管５５と内箱２２との間に断熱材２４より熱伝導率の小さい真空断熱材５６を備えることにより、冷媒配管５５の放熱による貯蔵室内への熱侵入量を低減できるので冷蔵庫本体２０の消費電力量の増加を抑制することができる。
【００９６】
また、冷凍温度帯より保持温度の高い冷蔵室２９が冷蔵庫本体２０の貯蔵室空間の概ね５０％を占めることにより冷凍温度帯の貯蔵室空間が多い場合に比べて冷蔵庫本体２０に必要な冷却能力を低減することができるので、冷蔵庫本体２０の消費電力量を低減することができる。
【００９７】
また、従来の冷蔵庫１では冷蔵室３を大きくすると下側の貯蔵室空間が狭くなってしまうが本発明の冷蔵庫本体２０では下面部材５２の下面の中央部に下側へ凸形状部５２ａを設けることで下側の貯蔵室空間を拡大しているので、下側の貯蔵室空間が狭くなることは無い。
【００９８】
また、冷蔵庫本体２０の冷凍サイクルを形成する圧縮機８０を断熱箱体２１上部に備えたことにより下側の貯蔵室空間を更に拡大することができる。また、最上部の貯蔵室を冷蔵室２９とすることにより、従来の冷蔵庫１のように断熱箱体２下部背面側の下部冷凍室６近傍の第一の凹部２ｂに圧縮機１２を備える場合に比べて、冷蔵室２９の方が貯蔵室の温度が高いので圧縮機８０の発する熱の貯蔵室内への熱侵入量を低減できるので冷蔵庫本体２０の消費電力量を低減することができる。
【００９９】
また、冷蔵庫本体２０の外箱２３の下面を外箱２３と別部材の下面部材５２にて構成し、下面部材５２に凸形状部５２ａを設けたことにより、外箱２３を一体で下面を凸形状部に成型することに比べて成型が容易となるので設備投資の抑制や、成型サイクルの短縮によるコスト削減を図ることができる。
【０１００】
また、冷蔵庫本体２０の閉時に最下部の貯蔵室を閉塞する冷凍室ドア３３ａの下面の中央部に凸形状部を設けて冷蔵庫本体２０の設置床面６０との距離を５ｍｍ以上２０ｍｍ以下とすることにより、冷凍室ドア３３ａの開時に冷凍室ドア３３ａの下面と設置床面６０との間にスリッパや足の指を挟んでしまうことを防止したり、冷凍室ドア３３ａの開時に冷凍室ドア３３ａの凸形状部が設置床面に擦ることを防止できるので冷蔵庫本体２０の使い勝手を確保することができる。
【０１０１】
なお、本実施の形態では従来の冷蔵庫１の凝縮器１３の代替として冷媒配管５５を利用したが、断熱箱体２１の下面部以外に凝縮器１３を設置するスペースが有れば、例えば側面部材５２の上面，背面上部部材５４の凹部５４ａに凝縮器を備えて冷媒配管５５のターン数を低減すれば良い。
【０１０２】
この場合には断熱箱体２１の側面部からの熱侵入量が低減できるので真空断熱材５６の使用量を低減してコストダウン、もしくは更なる消費電力量の低減を図ることができる。
【０１０３】
なお、本実施の形態では、断熱箱体２１の底面部の下端部である凸形状部５２ａは、圧縮機８０の下端部８０ａよりも下方に備えられるものの代表として、圧縮機８０が断熱箱体２１の天面に配置されるものとしたが、例えば図５に示すような圧縮機８０が下方側に備えられたタイプの冷蔵庫であっても、凝縮器が、断熱箱体２１の底面部と冷蔵庫本体２０を設置する床面との間の空間以外の場所に備えられたものであれば適用できる。
【０１０４】
この場合には、最下段の貯蔵室である冷凍室３３の背面に圧縮機が備えられるスペースがある為、この部分以外の貯蔵室空間を拡大する為に凸形状部５２ａの下端を圧縮機８０の下端部８０ａよりも下方に位置させることで圧縮機８０の下端部から設置面への距離よりも断熱箱体２１の底面部の下端部である凸形状部５２ａから設置面への距離の方を小さくすることによって、圧縮機８０の放熱に際して凸形状部５２ａの下方空間から圧縮機８０の底面へ空気が取り入れられ、圧縮機８０の熱が床面との間にこもらず、圧縮機の放熱を促進させ効率，信頼性を高めた上で、圧縮機配置部分以外の貯蔵室スペースを拡大することができる。
【０１０５】
そしてこの場合、断熱箱体２１の底面部の下端部である凸形状部５２ａは、必ずしも脚７０，７１の冷蔵庫本体への取付け面よりも下方に位置するもので無くても構わない。
【産業上の利用可能性】
【０１０６】
以上のように、本発明にかかる冷蔵庫は、外気との熱の移動量を増加させること無く貯蔵室空間を拡大できるので、その他の保温器の用途にも適用できる。
【図面の簡単な説明】
【０１０７】
【図１】本発明の実施の形態１における冷蔵庫の正面図
【図２】同実施の形態の冷蔵庫の断面図
【図３】同実施の形態の冷蔵庫の要部正面断面図
【図４】同実施の形態の冷蔵庫の断熱箱体の分解斜視図
【図５】同実施の形態の冷蔵庫における圧縮機の配置が異なる例を示す要部断面図
【図６】従来の冷蔵庫の正面図
【図７】従来の冷蔵庫の断面図
【符号の説明】
【０１０８】
２０  冷蔵庫
２１  断熱箱体
２１ａ  前面開口部
２２  内箱
２３  外箱
２４  断熱材
２９  冷蔵室
２９ａ  冷蔵室ドア
３３  冷凍室
３３ａ  冷凍室ドア
５１  側面部材
５２  下面部材
５２ａ  凸形状部
５３  背面下部部材
５４  背面上部部材
５４ａ  凹部
５５  冷媒配管
５６  真空断熱材
６０  設置床面
８０  圧縮機
【図１】
2006194573.tif 000004
【図２】
2006194573.tif 000005
【図３】
2006194573.tif 000006
【図４】
2006194573.tif 000007
【図５】
2006194573.tif 000008
【図６】
2006194573.tif 000009
【図７】
2006194573.tif 000010